(57)【特許請求の範囲】
【請求項１】
円形の基底板と、
前記基底板の上面に一定の高さで備えられ、前記基底板の中心から所定の半径で形成される複数の環形部と、
前記環形部のうち最外周の環形部の内側から前記基底板の中心まで、前記基底板の半径方向に繋がる複数の延長部と、
前記環形部および前記延長部により閉鎖されるように囲まれた複数の分割部と、
前記延長部の一端が接する前記最外周の環形部の内側と向かい合う前記最外周の環形部の外側に一面が接する光ガイド部と、
前記光ガイド部の他の面に接する光源部と
を含むダーツボード。
【請求項２】
請求項１において、
前記延長部は、第１延長部面および第２延長部面を含むが、
前記第１延長部面から前記第２延長部面まで一定の幅の間を光線が通れる透光性素材で形成されたダーツボード。
【請求項３】
請求項２において、
前記透光性素材は、アルミナセラミックス、ヤグ（ＹＡＧ，ｙｔｔｒｉｕｍ  ａｌｕｍｉｎｕｍ  ｇａｒｎｅｔ）、灰チタン石（Ｐｅｒｏｖｓｋｉｔｅ）およびスピネル（Ｓｐｉｎｅｌ）のうち少なくとも一つを含むダーツボード。
【請求項４】
請求項１において、
前記光ガイド部は、前記光源部から放射される中央部の光線が入射されるように、前記中央部の光線の放射方向に形成された第１入射面が前記光源部に向かって膨らんだ形状を持つ第１レンズ部と、
前記光源部から放射される周辺部の光線が入射される第２入射面および前記第２入射面で屈折した入射光を全反射させるための反射面を持つ第２レンズ部と、
前記第１レンズ部の第１入射面および前記第２レンズ部の反射面からの光線を射出するための射出面と、
を含むが、
前記第２入射面は、前記第１入射面に対して垂直な方向から前記光源部に向かって遠くなる方向へ傾斜し、
前記反射面は、前記光源部から放射され、前記第２入射面で屈折して進入した入射光を反射するために、前記第２入射面から前記射出面に行くほど徐々に広くなるよう湾曲するダーツボード。
【請求項５】
請求項４において、
前記反射面は、全反射条件を満足するダーツボード。
【請求項６】
請求項１において、
前記環形部および前記延長部は、前記基底板から同じ高さで実装されるダーツボード。
【請求項７】
請求項１において、
前記光源部は、イベントが発生すれば、前記イベントに対応する、予め決められた色を発光するダーツボード。
【請求項８】
請求項１において、
前記延長部および前記環形部に接し、前記分割部を閉鎖する蓋部と、
をさらに含むが、
前記蓋部は、前記延長部を通過する光線が際立つようにするダーツボード。
【請求項９】
イベントを認識する認識部と、
前記当該イベントに対応する光源プロファイルを検索する検索部と、
前記光源プロファイルに基づきダーツボードの光源部を制御する制御部と、
を含み、
前記ダーツボードは、
円形の基底板と、
前記基底板の上面に一定の高さで備えられ、前記基底板の中心から所定の半径で形成される複数の環形部と、
前記環形部のうち最外周の環形部の内側から前記基底板の中心まで前記基底板の半径方向に繋がる複数の延長部と、
前記環形部および前記延長部により閉鎖されるように囲まれた複数の分割部と、
前記延長部の一端が接する前記最外周の環形部の内側と向かい合う前記最外周の環形部の外側に一面が接する光ガイド部と、
前記光ガイド部の他の面に接する光源部と
を含む光源部制御装置。
【発明の詳細な説明】
【技術分野】
【０００１】
本発明は、ダーツボードに係るもので、より詳しくは、光源が備えられたダーツボードおよびダーツボード制御装置に係るものである。
【背景技術】
【０００２】
ダーツゲームは、数字が書かれた円心の的に向かって矢じりの形をした道具を投げ、点をとるゲームであって、矢じりの形のダーツと、ダーツを受けるダーツボードさえあれば、いつでも、どこでも、誰でも、場所や季節を問わず楽しめるゲームである。
【０００３】
ダーツボードは、扇形に２０等分されたそれぞれのセグメントを含んでおり、それぞれのセグメントごとに１〜２０点の点数が付与されている。一般的にダーツゲームは、３０１点、５０１点、１００１点などと、基本的な点数を決めておき、ダーツを投げて得た点数を総点から差し引いていき、先に点数が０点になった方が勝者になるゲームである。
【０００４】
ユーザの経験するダーツゲームのエンターテインメント的な要素を向上するために、ダーツゲーム装置に係る視覚的な要素または聴覚的な要素、あるいはその両方を際立たせるニーズが存在する。
【先行技術文献】
【特許文献】
【０００５】
【特許文献１】韓国公開特許第１０−１９８９−０７００２１８号公報
【発明の概要】
【発明が解決しようとする課題】
【０００６】
本発明の第１の態様が解決しようとする課題は、ダーツボードに適した照明効果を実現するために、適切な数のＬＥＤを使用して、エネルギーの使用量を減らせる光源が備えられたダーツボードを提供することである。
【課題を解決するための手段】
【０００７】
本発明における第１の態様は、円形の基底板と、基底板の上面に一定の高さで備えられ、基底板の中心から所定の半径で形成される複数の環形部と、環形部のうち、最外周の環形部の内側から基底板の中心まで基底板の半径方向に繋がる複数の延長部と、環形部および延長部により閉鎖されるように囲まれた複数の分割部と、前記延長部の一端が接する最外周の環形部の内側と向かい合う最外周の環形部の外側に一面が接する光ガイド部と、光ガイド部の他の面に接する光源部を含むダーツボードを提供することができる。
【０００８】
第１の態様において、延長部は第１延長部面および第２延長部面を含み、第１延長部面から第２延長部面まで、一定の幅の間を光線が通れる透光性素材で形成されることができる。
【０００９】
第２の態様において、透光性素材は、アルミナセラミックス、ヤグ（ＹＡＧ，ｙｔｔｒｉｕｍ  ａｌｕｍｉｎｕｍ  ｇａｒｎｅｔ）、灰チタン石（Ｐｅｒｏｖｓｋｉｔｅ）およびスピネル（Ｓｐｉｎｅｌ）のうち、少なくとも一つの含むことができる。
【００１０】
第３の態様において、光ガイド部は、光源部から放射される中央部の光線が入射されるように、中央部の光線の放射方向に形成された第１入射面が光源部に向かって膨らんだ形状を持つ第１レンズ部、光源部から放射される周辺部の光線が入射する第２入射面および第２入射面で屈折した入射光を全反射させるための反射面を持つ第２レンズ部、第１レンズ部の第１入射面および第２レンズ部の反射面からの光線を射出するための射出面を含むが、第２入射面は、第１入射面に対して垂直な方向から光源部に向かって遠くなる方向へ傾斜し、反射面は光源部から放射され第２入射面で屈折して進入した入射光を反射するために、第２入射面から射出面に行くほど徐々に広くなるよう湾曲する、光源が備えられたダーツボードを含むことができる。
【００１１】
第３の態様において、反射面は全反射条件を満足でき、環形部および延長部は基底板から同じ高さで形成されることができ、光源部はイベントが発生したら当該イベントに対応する、予め定められた色を発光することができる。
【００１２】
本発明における第２の態様は、当該イベントを認識する認識部と、当該イベントに対応する光源プロファイルを検索する検索部と、光源プロファイルに基づき、ダーツボードの光源部を制御する制御部とを含み、ダーツボードは、円形の基底板と、基底板の上面に一定の高さで備えられ、基底板の中心から所定の半径で形成される複数の環形部と、環形部のうち最外周の環形部の内側から基底板の中心まで基底板の半径方向に繋がる複数の延長部と、環形部および延長部により閉鎖されるように囲まれた複数の分割部と、前記延長部の一端が接する最外周の環形部の内側と向かい合う最外周の環形部の外側に一面が接する光ガイド部と、光ガイド部の他の面に接する光源部とを含む光源部制御装置を提供することができる。
【発明の効果】
【００１３】
本発明の第１の態様における光源が備えられたダーツボードは適切な数の光源部を使用し、エネルギー使用量を減らすことができる。
【図面の簡単な説明】
【００１４】
【図１】本発明の第１の実施形態における光源が備えられたダーツボードを示したものである。
【図２】本発明の第１の実施形態における光ガイド部が最外周の環形部に接することを示したものである。
【図３】本発明の第１の実施形態における光ガイド部の内部構造を示したものである。
【図４】本発明の第１の実施形態における光源部から光線が進む方向を示す模式図である。
【図５ａ】光ガイド部および光源部が設置されていないダーツボードを示すものである。
【図５ｂ】光ガイド部および光源部が設置されたダーツボードを示すものである。
【図６】本発明の第１の実施形態における光源部制御装置を示すブロック図である。
【発明を実施するための形態】
【００１５】
本発明の目的および効果、そしてこれらを達成するための技術的な構成は、添付の図面とともに、後述の詳細な実施形態を参照することで明確になるだろう。本発明の説明において公知の機能または、構成に係わる具体的な説明が本発明の要旨を曖昧にするおそれがあると判断された場合は、その詳細な説明を省略する。そして後述する用語は、本発明における機能を考慮して提議された用語であり、これはユーザ、運用者の意図または慣例等により変ることがあり得る。
【００１６】
しかし、本発明は、以下に示す実施形態に限られるものではなく、実施形態とは異なる様々な形態で実現されることができる。本実施形態は、あくまでも本発明の開示を完全なものにし、本発明が属する技術分野における通常の知識を有する者に発明の範囲や特性を明確に示すために提供されるものであり、本発明は請求項の範囲により提議される。したがって、その定義は、本明細書全般に渡る内容に基づいて決められるべきである。
【００１７】
次に、添付図面を参照し、本発明の多様な実施形態についてより詳細に説明する。
【００１８】
図１は、本発明の第１の実施形態における、光源が備えられたダーツボードを示したものである。
【００１９】
図１によると、本発明の第１の実施形態における、光源が備えられたダーツボード１００は、基底板１１０と、環形部１２０と、延長部１３０と、分割部１４０と、光ガイド部１５０と、光源部１６０とを含むことができる。
【００２０】
基底板１１０は円形の形をとることができる。基底板１１０の上面には環形部１２０と、延長部１３０と、分割部１４０と、光ガイド部１５０と、および光源部１６０とが位置することができる。基底板１１０には多様な絵や文字が印刷されることができる。
【００２１】
環形部１２０は、基底板１１０の上面に一定の高さで備えられることができる。環形部１２０は、一定の幅を持つ円環形の形をとることができる。環形部１２０は、基底板１１０の中心から予め定められた半径を有するように作られることができる。
【００２２】
図１では、便宜上、５つの環形部１２０、１２１、１２３、１２４、１２５の半径がそれぞれ異なるが、本発明の権利の範囲を特定の環形部１２０、１２１、１２３、１２４、１２５の数や半径に制限するものではなく、光源が備えられたダーツボード１００の大きさやユーザの設定により、多様な形で実現されることができる。最外周の環形部１２０の外側には、光源部１６０が設置されなければならないため、環形部１２０の半径は基底板１１０の半径より小さくすることが望ましい。
【００２３】
延長部１３０は、環形部１２０、１２１、１２３、１２４、１２５のうち、最外周の環形部１２０の内側から基底板１１０の中心まで基底板１１０の半径方向に繋がることができる。言い換えると、延長部１３０は基底板１１０の中心に向かう方向に形成されることができる。
【００２４】
延長部１３０の一端は、最外周の環形部１２０の内側に繋がり、延長部１３０の他の端部は、基底板１１０の中心と繋がることができる。第２の実施形態において、延長部１３０の他の端部は、最内角環形部１２５に繋がることもできる。
【００２５】
延長部１３０が基底板１１０の中心と最外周の環形部１２０の内側に繋がるとき、延長部１３０は、環形部１２１、１２３、１２４を横切って繋がることができる。本明細書においては、基底板１１０、環形部１２０、延長部１３０を区別して説明しているが、実際製品を製作するときは、同一素材や単一の過程で実現することができる。
【００２６】
図１に示すように、延長部１３０の一端は、最外周の環形部１２０の内側に接するように形成され、環形部１２１、１２３、１２４を横切り、環形部１２１および環形部１２３と法線（ここで、法線は、２本の線が直角に交わることを意味する）を成すように交わることができる。延長部１３０は環形部１２０の半径方向から基底板１１０の中心まで延長されることができる。図１においては２０個の延長部１３０を示しているがユーザの設定により２０個以上の延長部１３０あるいは、２０個以下の延長部１３０を設けることもできる。
【００２７】
分割部１４０は、環形部１２０、１２１、１２３、１２４、１２５および延長部１３０により閉鎖されるように囲まれた空間を意味する。基底板１１０の上面に環形部１２０と延長部１３０が一定の高さで実装されるため、分割部１４０の下面は基底板１１０、両側面は環形部１２０または、延長部１３０に囲まれ、一定の空間を成すことができる。ここで、一定の空間が分割部１４０になることができる。分割部１４０が基底板１１０、環形部１２１、１２３および延長部１３０、１３１に囲まれれば、上面が開放された半閉鎖の空間になることができる。
【００２８】
万が一、蓋部（未図示）を環形部１２０および延長部１３０に接するように実装すれば、分割部１４０は閉鎖された空間にすることができる。蓋部（未図示）は、環形部１２０および延長部１３０を通る光線を外部から認識できるように環形部１２０および延長部１３０を隠さない大きさで実装することが望ましい。分割部１４０は、扇型にすることができる。さらに、分割部１４０は扇型の一部分の形に類似した形にすることができる。
【００２９】
光ガイド部１５０は、最外周の環形部１２０の外側に接するように実装されることができる。最外周の環形部１２０の内側の一面には、延長部１３０の一端が接し、延長部１３０の一端が接する最外周の環形部１２０の内側と向かい合う最外周の環形部１２０の外側には光ガイド部１５０が接することができる。
【００３０】
図２は本発明の第１の実施形態における光ガイド部１５０が最外周の環形部１２０に接することを示したものである。
【００３１】
図２によると、光ガイド部１５０の一面２１１は、最外周の環形部１２０の外側２１２に接し、環形部１２０の外側２１２と向かい合う環形部１２０の内側２１３は、延長部１３０の一端と接することができる。
【００３２】
光ガイド部の一面２１１と環形部１２０の外側２１２が接するように実装されれば、光ガイド部１５０から放射される光線２２０は、環形部１２０および延長部１３０を通り、基底板１１０の中心まで到達することができる。なお、蓋部（未図示）は、環形部１２０および延長部１３０を隠さないように実装されるため、ユーザは、光線２２０が環形部１２０と延長部１３０を通る姿をはっきり認識することができる。
【００３３】
より詳しく説明すると、延長部１３０は、第１延長部面１３２および第２延長部面１３４を含むことができる。第１延長部面１３２から第２延長部面１３４まで一定の幅Ｄを形成することができる。光線２２０は第１延長部面１３２と第２延長部面１３４の間の幅Ｄを横切って進むことができる。
【００３４】
光線２２０が延長部１３０を横切って進むためには透光性素材を使う必要がある。例えば、透光性素材は、アルミナセラミックス、ヤグ（ＹＡＧ，ｙｔｔｒｉｕｍａｌｕｍｉｎｕｍｇａｒｎｅｔ）、灰チタン石（Ｐｅｒｏｖｓｋｉｔｅ）およびスピネル（Ｓｐｉｎｅｌ）のうち、少なくとも一つの含むことができる。
【００３５】
アルミナセラミックは、アルミナの化学的な安定性のため、従来使用されていたシリカ、または、クオーツ類の素材を代替するものとして使用することができる。
【００３６】
ヤグ（ＹＡＧ，ｙｔｔｒｉｕｍａｌｕｍｉｎｕｍｇａｒｎｅｔ）は、ＨＩＤランプに使用される透光性セラミック材料であり、結晶の構造がキュービック（ｃｕｂｉｃ）であるため、結晶粒界（ｇｒａｉｎｂｏｕｎｄａｒｙ）で複屈折による光の散乱が起きないため直進放射（ｉｎ−ｌｉｎｅｔｒａｎｓｍｉｔｔａｎｃｅ）が可能だという優れた点がある。つまり、光が散乱せず、硝子のように透明に通過することができる。
【００３７】
灰チタン石（Ｐｅｒｏｖｓｋｉｔｅ）は、透光性素材であり、ＡＢＯ３構造を持つ。この構造において、Ａ原子としてＰｂ、Ｂａ、Ｓｒ等が使われ、Ｂ原子としてＺｒ、Ｔｉを適用することができる、なお、第２の実施形態において、灰チタン石素材は、ＬａＡｌＯ３、ＣｅＡｌＯ３、ＰｒＡｌＯ３、ＡｄＡｌＯ３等があり、溶融温度が高く、科学的に安定的だという優れた点がある。
【００３８】
スピネル（Ｓｐｉｎｅｌ）は硬度が高く、機械的強度が優れ、可視光線領域での透過性がよいため、多様な色の光を変色なく通過させることができる。
【００３９】
第１の実施形態において、環形部１２０および延長部１３０は、基底板１１０から同じ高さで実装されることができる。環形部１２０および延長部１３０が同じ高さで実装されれば、環形部１２０および延長部１３０を一つの工程で製作することができる。なお、分割部１４０に蓋部（未図示）を設置する場合、延長部１３０を通過する光線がより際立つことが可能である。つまり、環形部１２０および延長部１３０を除いた部分を暗くし、環形部１２０および延長部１３０を通る光線が際立つことがあり得る。
【００４０】
図３は、本発明の第１の実施形態における光ガイド部１５０の内部構造を示したものである。
【００４１】
図３によると、本発明の第１の実施形態における光ガイド部１５０は、第１レンズ部１５１と、第２レンズ部１５３と、反射面１５５と、射出面１５７とを含むことができる。
【００４２】
第１レンズ部１５１は、光源部１６０から放射される中央部の光線が入射することができる。光源部１６０から放射される光線は、中央部の光線と周辺部の光線に分け、区別することができる。
【００４３】
本明細書において、中央部の光線は第１レンズ部１５１の第１入射面１５１２へ進む光線を意味する。本明細書における周辺部の光線は光源部１６０から放射される光線のうち中央部の光線を除いた光線を意味する。言い換えると、周辺部の光線は、第２レンズ部１５３に入射される光線を意味する。
【００４４】
第１レンズ部１５１は、光源部１６０に向かって膨らんだ形状を持つように設けられることができる。第２レンズ部１５３は、光源部１６０から放射される周辺部の光線が入射されることができる。なお、第２レンズ部は第２入射面１５３２で屈折した入射光を全反射させるための反射面１５５をさらに備えることができる。第２入射面１５３２を通過した周辺部の光線は反射面１５５で全反射され、射出面１５７へ進むことができる。
【００４５】
射出面１５７は、第１レンズ部１５１の第１入射面１５１２および第２レンズ部１５３の反射面１５５から放射される光線が通過できる。射出面１５７を通過する光線は直進する特性があり、光源エネルギーの損失が発生しない。
【００４６】
なお、第２入射面１５３２は、第１入射面１５１２に対して垂直な方向から光源部１６０に向かって遠くなる方向へ傾斜する。ここで、傾斜角度は、特定の角度に限定されず、１０°から４５°までの傾斜角度で実装されれば充分である。
【００４７】
反射面１５５は、光源部１６０から放射され第２入射面１５３２を通じて屈折して進入した入射光を反射するために、第２入射面１５３２から射出面１５７に行くほど徐々に広くなるよう湾曲することができる。
【００４８】
第１入射面１５１２が、垂直方向から光源部１６０に向かって遠くなる方向へ傾斜し、反射面１５５が射出面１５７に行くほど徐々に広くなれば、光源部１６０から放射された光線は、射出面１５７と直角を成しながら放射されることができる。
【００４９】
図４は、本発明の第１の実施形態における光源部１６０から光線が進む方向を示した模式図である。
【００５０】
図４によると、光源部１６０から放射された光線のうち中央部の光線は光線１、光線２、光線３と表している。先ず、光線２を見ると、光線２は第１入射面１５１２の中央部を通過し、射出面１５７へ進む。つまり、光線２は、第１レンズ部１５１の中心を通るようになり、屈折せず直進することができる。光線１は、射出面１５７と直角をなしながら進む。
【００５１】
光線１および光線３は、第１レンズ部の両端の点を通過するようになり、光線が屈折し、射出面１５７へ入射する際は、射出面１５７と直角を維持することができる。
【００５２】
ここで、第１レンズ部１５１の焦点距離と曲率半径は、光線１が射出面１５７と直角を維持できるように、光線１および光線３が第１レンズ部１５１を通過した後、射出面１５７と直角を維持できるようにユーザの設定により変ることがあり得る。
【００５３】
本発明における第１の実施形態は、光源部１６０から放射された光線が、射出面１５７と直角を成すようにし、延長部１３０で分散せず直進できるようにするためのものであり、本発明の権利範囲を特定の焦点距離と曲率半径を持つ第１レンズ部１５１に限定するものではない。
【００５４】
光源部１６０から放射された光線のうち周辺部の光線は、光線４、光線５、光線６、光線７と示している。
【００５５】
光線４は、第２レンズ部１５３へ入射することができる。ここで、第２レンズ部１５３の反射面１５５は全反射の特性を持つ。第２レンズ部１５３の第２入射面１５３２へ入射した光線３のエネルギー量が失われず、第２レンズ部１５３を通過し、反射面１５５へ進むことができる。
【００５６】
反射面１５５へ入射した光線３は、反射面１５５の焦点距離と曲率半径により射出面１５７と直角を成す方向へ進むことができる。
【００５７】
前述の通り、反射面１５５の焦点距離と曲率半径は、ユーザの設定により変ることがあり得るとともに、周辺部の光線が射出面１５７と直角をなしながら進むことであれば、特に限定されない。
【００５８】
光線５、光線６、光線７も同じ方法で射出面１５７と直角をなしながら進むようになり、重複する説明は省略する。
【００５９】
図５ａは、光ガイド部および光源部が設置されていないダーツボードを示したものであり、図５ｂは、光ガイド部および光源部が設置されたダーツボードを示したものである。
【００６０】
図５によると、光ガイド部１５０および光源部１６０が備えられている場合、光源部１６０から放射された光線が基底板１１０の中心まで到達することを確認することができる。
【００６１】
従来は、それぞれの分割区に光源部１６０を囲むよう備え、本発明と同様の効果を得ることができたが、過度な光源部１６０の使用により必要以上にエネルギーを消耗するという不利な点があった。しかし本発明は、光源部１６０の数を著しく減らすとともに、同様の効果が得られるという利点がある。
【００６２】
図６は、本発明の第１の実施形態における光源部制御装置を示すブロック図である。
【００６３】
図６によると、本発明の第１の実施形態における光源部１６０を制御する光源部制御装置６００は、認識部６１０、検索部６２０、制御部６３０および保存部６４０を含むことができる。
【００６４】
認識部６１０は、ダーツゲーム装置７００で発生する多様なイベントを認識することができる。
【００６５】
ここで、イベントはユーザの識別、ダーツのダーツターゲットへのヒット、ユーザの変更、ゲーム終了、ゲーム種類の選択等を含むことができる。ダーツのダーツターゲットへのヒットの場合、ダーツがダーツボードのどの部分にヒットしたかにより、多様な点滅方式や色の変化に係わるパターンが決まることが可能である。
【００６６】
なお、クリケット、０１ゲーム等のようなゲーム種類の選択によってもパターンが実行されることができる。例えば、クリケットのような場合は、１５以上の数字だけを使うため、クリケットを選択したとき、一定のパターンが実行された後、クリケットに使われる数字にのみ照明が点灯するよう設定することができる。なお、例えば、高い点数の部分に当たった場合、それを祝うためのパターンが設定されることが可能である。
【００６７】
なお、例えば、特定ゲームにおいては、高い数字を当てればよいのではなく、特定の数字を狙い、その数字を当てれば有利になる場合もあるため、このような場合は、狙っていた数字を当てたとき、それを祝うためのパターンが設定されることもあり得る。
【００６８】
なお、例えば、ゲーム終了後、勝者を知らせるパターン、勝者を祝うためのパターン等が設定されることも可能である。このようなイベントの例示は単なる例示に過ぎず、ダーツゲームを実施する中で発生し得る全てのイベントを含むことができる。
【００６９】
検索部６２０は、認識部６１０が認識した当該イベントと同様のイベントが保存されているかを検索して調べることができる。ユーザは、多様なイベントを事前に設定し、光源部１６０を制御できる光源プロファイルを事前に作成することができ、作成された光源プロファイルは、保存部６４０に保存されることができる。言い換えると、光源部１６０の点滅方式および色の変化に係るパターンは、光源部制御装置６００の保存部６４０に予め保存されていることが可能である。
【００７０】
制御部６３０は、光源プロファイルに基づき、光源部１６０を制御することができる。光源部１６０のオン・オフおよび多様な色は、公知の技術を利用して制御が可能であり、公知技術に係わる説明は、省略する。
【００７１】
第１の実施形態において、ダーツゲーム装置７００と光源部制御装置６００は、通信網８００を通じて繋がることができる。複数のダーツゲーム装置７００が運用される場合、光源部制御装置６００を通じて複数のダーツゲーム装置７００を制御することができる。
【００７２】
第２の実施形態において、光源部制御装置６００は、ダーツゲーム装置７００に一体型で備えられることができる。光源部制御装置６００を別途運用しない場合、光源部制御装置６００を運用する費用を削減できるという優れた点がある。
【００７３】
上記においては、本発明の望ましい実施形態を参照して説明したが、該当技術分野における通常の知識を有する者であれば、下記の特許請求の範囲に記載された本発明の思想および領域を逸脱しない範囲内で本発明に多様な修正および変更を加えることができることを理解することができるだろう。
【符号の説明】
【００７４】
１００…光源が備えられたダーツボード、１１０…基底板、１２０，１２１，１２３，１２４，１２５…環形部、１３０，１３１…延長部、１３２…第１延長部面、１３４…第２延長部面、１４０…分割部、１５０…光ガイド部、１５１…第１レンズ部、１５１２…第１レンズ部の第１入射面、１５３…第２レンズ部、１５３２…第２レンズ部の第２入射面、１５５…反射面、１５７…射出面、１６０…光源部、２１１…光ガイド部の一面、２１２…最外周の環形部の外側、２１３…環形部の内側、２２０…光線、６００…光源部制御装置、６１０…認識部、６２０…検索部、６３０…制御部、６４０…保存部、７００…ダーツゲーム装置、８００…通信網、Ｄ…第１延長部面から第２延長部面までの幅
【図１】
0006337208.tif 000002
【図２】
0006337208.tif 000003
【図３】
0006337208.tif 000004
【図４】
0006337208.tif 000005
【図５ａ】
0006337208.tif 000006
【図５ｂ】
0006337208.tif 000007
【図６】
0006337208.tif 000008